(57)【特許請求の範囲】
【請求項１】
元竿と、前記元竿の穂先側に振出形式に連結される元上竿と、前記元上竿の穂先側に振出形式に連結される元上々竿とを有する釣竿において、前記各小径竿体を前記元竿に保持するための構造であって、
前記元竿の竿元側端部内に固定され、穂先側内周面に第１嵌合面を有すると共に竿元側内周面に雌ねじ部を有する筒状体と、
前記筒状体の雌ねじ部に螺合する雄ねじ部を外周面に有すると共に内周面に第２嵌合面を有するストッパーリングと、
前記ストッパーリングの竿元側において前記筒状体の雌ねじ部に螺合する尻栓とを備えた保持構造。
【請求項２】
前記第１嵌合面及び第２嵌合面はそれぞれ内径方向に突出する突起を有する、請求項１に記載の保持構造。
【請求項３】
前記突起は前記第１嵌合面及び第２嵌合面にそれぞれ複数設けられており、周方向に間隔を隔てつつ軸方向に伸びて形成されている、請求項２に記載の保持構造。
【請求項４】
前記筒状体の雌ねじ部は穂先側ほど小径化するテーパ面となっている、請求項１〜３の何れか１項に記載の保持構造。
【請求項５】
前記筒状体の竿元側端部に連結され外周面が前記元竿の外周面と面一であるゴムパイプをさらに備え、前記尻栓は前記ゴムパイプ内部に収納されるようにして前記筒状体の雌ねじ部に螺合する、請求項１に記載の保持構造。
【発明の詳細な説明】
【０００１】
【発明の属する技術分野】
本発明は竿体を振出形式に連結してなる釣竿において、穂先側に位置する竿体を元竿に収納しながら保持するための保持構造に関する。
【０００２】
【従来の技術】
従来の振出形式の釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
また、このような従来の振出形式の釣竿には、竿全体の長さを変化させて釣りを行えるようにしたものがある。このような釣竿の元竿とその穂先側に連結される元上竿とにおいて、元上竿は竿元側端部外周面に形成された第１嵌合部と、穂先側外周面に形成された第２嵌合部とを有している。そして、元竿の穂先側に連結される元上竿が穂先側に引き出された状態（以下「延伸状態」という）と元上竿が元竿内に挿入された状態（以下「収納状態」という）とで、元上竿は第１嵌合部と第２嵌合部とでそれぞれ元竿の穂先側内周面に嵌合固定される。こうして、元竿と元上竿とは「延伸状態」，「収納状態」のいずれの状態においても互いに嵌合固定可能であり、状況に応じて竿全体の長さを変化させて釣りを行えるのである。
【０００４】
さらに、従来の竿全体の長さを変化させて釣りを行えるようにした釣竿においては、元竿の竿元側端部に脱着自在に装着される尻栓の穂先側に穂先側に開口する凹部を設けて、この凹部で元竿内に収納される元上竿の竿元側端部を嵌合して保持するタイプのものも知られている。
【０００５】
【発明が解決しようとする課題】
竿全体の長さを変化させて釣りを行えるようにした釣竿においては、上述のように、元竿と元上竿との２本の間のみではなく、さらに元上竿の穂先側に連結される元上々竿も含めた３本において、長さを調整しつつ釣りを行えるように工夫するものもある。このような釣竿のための尻栓では、元上竿の竿元側端部と嵌合してこれを保持する部分と、元上々竿の竿元側端部と嵌合してこれを保持する部分とをそれぞれ内径を変えつつ２段にわたって形成することになる。
【０００６】
しかし、尻栓における嵌合部の内径の調整は非常に微妙なものであり、一ヶ所でも困難な内径調整を尻栓の内径において２段にわたって行うのは極めて煩雑である。
【０００７】
また、尻栓に直接元上竿等を嵌合させて保持していると、元上竿等の回転によって尻栓も回転し、元竿に螺合している尻栓が緩んでしまうという問題も考えられる。
【０００８】
本発明の課題は、嵌合程度の調整が容易であると共に緩みにくい釣竿の保持構造を提供することにある。
【０００９】
【課題を解決するための手段】
発明１にかかる保持構造は、元竿と、元竿の穂先側に振出形式に連結される元上竿と、元上竿の穂先側に振出形式に連結される元上々竿とを有する釣竿において、これら各小径竿体を元竿に保持するための構造に関するものである。そして、元竿の竿元側端部内に固定され、穂先側内周面に第１嵌合面を有すると共に竿元側内周面に雌ねじ部を有する筒状体と、筒状体の雌ねじ部に螺合する雄ねじ部を外周面に有すると共に内周面に第２嵌合面を有するストッパーリングと、ストッパーリングの竿元側において筒状体の雌ねじ部に螺合する尻栓とを備えている。
【００１０】
この保持構造を採用する釣竿は、第１小径竿体，第２小径竿体を大径竿体から順次穂先側に引き出した際には、従来の振出形式の釣竿と同様に順次嵌合されて固定され、一本の釣竿として使用できるものである。
【００１１】
一方、第１小径竿体，第２小径竿体をそれぞれ大径竿体内に収納した際には、第１小径竿体，第２小径竿体の竿元側端部外周面がそれぞれ筒状体の第１嵌合面部分，ストッパーリングの第２嵌合面部分に挿入されて嵌合される。即ち、各小径竿体を大径竿体に収納した状態で各小径竿体を大径竿体に保持可能である。
【００１２】
ここで、第１嵌合面を有する筒状体と、第２嵌合面を有するストッパーリングは別部材で別個に成形されるものであり、個々にその嵌合面の内径の微妙な調整が可能である。また、これらの嵌合面を有する筒状体，ストッパーリングと、竿元側を閉塞する尻栓とも別部材であり、各小径竿体が各嵌合部に保持された状態で回転してもその回転は尻栓に直接伝達されない。よって、不当に尻栓の螺合が緩んで外れてしまうこともない。
【００１３】
発明２にかかる保持構造は、発明１の構造であって、第１嵌合面及び第２嵌合面はそれぞれ内径方向に突出する突起を有している。
この場合には、第１嵌合面，第２嵌合面の複数の突起が、第１小径竿体，第２小径竿体の竿元側端部外周面と嵌合しこれを保持する。このような突起に各小径竿体を嵌合させることで嵌合面積を比較的小さくして、各小径と各嵌合面との固着が防止される。
【００１４】
発明３にかかる保持構造は、発明２の構造であって、突起は第１嵌合面及び第２嵌合面にそれぞれ複数設けられており、周方向に間隔を隔てつつ軸方向に伸びて形成されている。
【００１５】
この場合は、第１嵌合面，第２嵌合面の複数の突起が、第１小径竿体，第２小径竿体の竿元側端部外周面と嵌合しこれを保持する。この突起は周方向に間隔を隔てて形成されており周方向全体から安定した状態で各小径竿体と嵌合してこれを保持する。また、この突起は軸方向に長く伸びており一定の嵌合面積を十分に担保する。
【００１６】
発明４にかかる保持構造は、発明１〜３の何れかの構造であって、筒状体の雌ねじ部は穂先側ほど小径化するテーパ面となっている。
この場合は、筒状体の雌ねじ部にストッパーリングを竿元側から螺合させて行くと一定の個所でストッパーリングが筒状体に十分に固定され、第２小径竿体が回転しても不当にストッパーリングも回転して筒状体に対する螺合が緩んでしまうこともない。
【００１８】
発明６にかかる保持構造は、発明１の構造であって、筒状体の竿元側端部に連結され外周面が元竿の外周面と面一であるゴムパイプをさらに備えている。そして、尻栓はゴムパイプ内部に収納されるようにして筒状体の雌ねじ部に螺合する。
【００１９】
この保持構造では、尻栓がゴムパイプ内に収納され外周面が外部に顕れず、尻栓が何かのはずみで不要に回転し緩んでしまうことがない。
【００２０】
【発明の実施の形態】
以下、本発明の実施形態について図面を参照しつつ説明する。
本発明の一実施形態を採用した釣竿は、図１に示すように、元竿１と、元竿１の穂先側に連結された元上竿２と、元上竿２の穂先側に連結された元上々竿３と、元上々竿３の穂先側に連結される中竿４と、中竿４の穂先側に連結された穂先竿５とを有している。これら元竿１〜穂先竿５は炭素繊維またはガラス繊維等に合成樹脂を含浸させたプリプレグから形成される先細り筒状部材である。そして、元上竿２〜穂先竿５は穂先側から順次竿元側の竿体の内部に挿入され出し入れ自在になっており、各竿体は穂先側に引き出された状態において、各竿体の穂先側端部内周面とその穂先側に連結される竿体の竿元側端部外周面との嵌合によって連結可能ないわゆる振出形式となっている。
【００２１】
元竿１は、外周面に形成されリール（図示せず）を脱着自在に装着可能なリールシート６とを有し、後に詳しく説明するように、竿元側端部には、尻栓１０が脱着自在に装着されている。また、元上竿２〜穂先竿５の周面には長手方向に間隔を隔てて複数の釣糸ガイド７が配置されており、リールシート６に取り付けられるリールからの釣糸が順次釣糸ガイド７を通って穂先側に導かれることになる。
【００２２】
図２〜図５に詳しく示すように、元竿１の竿元側端部の内部には、元竿１の内周面に固定される筒状体１１と、筒状体１１の軸方向中央付近に配置されるストッパーリング１２と、ストッパーリング１２の竿元側において筒状体１１に脱着自在に装着されている尻栓１０とを有している。
【００２３】
筒状体１１は、例えばPBT等の合成樹脂などで形成される部材であり、外周面が接着剤等によって元竿１の竿元側端部に接着され固定されている。この筒状体１１は、軸方向中央付近より穂先側の内周面に径方向に間隔を隔てつつ軸方向に伸びて径内方向に突出している複数の突起１１ａが一体的に形成されており、この突起１１ａが形成されている部分が第１嵌合面となっている。突起１１ａの径内方向に突出した面における内径は元上竿２の竿元側端部外径と合致するように調整される。また、突起１１ａの穂先側部分は穂先側ほど内径が大径化するようにテーパ面が形成される。
【００２４】
また、筒状体１１の第１嵌合面より竿元側は一段小径化され内周面にねじ山が形成されて雌ねじ部１１ｂとなっている。この雌ねじ部１１ｂは、例えば、穂先側ほどねじ山が欠損するような不完全ねじとしたり、穂先側ほど小径化するようなテーパを施してもよい。
【００２５】
さらに、筒状体１１の竿元側端部外周においては、筒状体１１が元竿１内に竿元側から挿入された際の位置決めをなす襟部１１ｃが設けられている。そして、その竿元側端部（元竿１に挿入されずに竿元側に突出して残る部分）には係止フランジ１４が設けられている。この係止フランジ１４には筒状のゴムカバー１３が竿元側に伸びつつ係止される。このゴムカバー１３の外径は元竿１の外径と面一になるように設定される。
【００２６】
ストッパーリング１２も、筒状体１１と同様に、例えばPBT等の合成樹脂などで形成される部材である。その外径は筒状体１１の雌ねじ部１１ｂに合致するように設定され外周面には雌ねじ部１１ｂに螺合するための雄ねじ部１２ｂが設けられている。このストッパーリング１２は筒状体１１に対して脱着自在に装着しても接着剤等によって固定してしまってもよい。上述のように、雌ねじ部１１ｂを不完全ねじとしたりテーパ面を設けたりすることで所定の位置に位置決めすることが可能である。さらに、雌ねじ部１１ｂの穂先側に位置決め用のフランジ等を形成する方法も採用できる。
【００２７】
このストッパーリング１２の内周面には、径方向に間隔を隔てつつ軸方向に伸びて径内方向に突出している複数の突起１２ａが一体的に形成されており、この突起１２ａが形成されている部分が第２嵌合面となっている。突起１２ａの径内方向に突出した面における内径は元上々竿３の竿元側端部外径と合致するように調整される。また、第１嵌合面の突起１１ａと同様に穂先側部分は穂先側ほど内径が大径化するようにテーパ面が形成されている。
【００２８】
尻栓１０は筒状体１１等と同様に合成樹脂等から形成される円筒型の栓部材である。外周面には筒状体１１の雌ねじ部１１ｂに螺合するための雄ねじ部１０ｂが形成されると共に、竿元側端面には回転用のコイン溝１０ａが設けられている。なお、この尻栓１０の軸方向長さは、上述のゴムカバー１３内に収納される程度となっている（図２参照）。
【００２９】
このように構成された釣竿では、釣りを行う際には、順次穂先竿５から穂先側に引き出して振出形式で連結し、一本の長い釣竿となる。一方、元上竿２のみ，元上竿２及び元上々竿３を元竿１に収納した状態で元竿１に保持させて、釣竿全体の長さを調整して釣りを行うことも可能である。
【００３０】
具体的には、元上竿２，元上々竿３の竿元側端部外周面がそれぞれ筒状体１１の第１嵌合面の突起１１ａ，ストッパーリング１２の第２嵌合面の突起１２ａに挿入されて嵌合されることになる。このような突起１１ａ，１２ａは接触面積を不当に大きくするのを抑えて嵌合時の固着を抑えると共に、径方向全体にわたって良好な嵌合程度を演出している。
【００３１】
ここで、第１嵌合面を有する筒状体１１と、第２嵌合面を有するストッパーリング１２は別部材で別個に成形されるものであり、個々にその嵌合面，突起１１ａ，１２ａの内径の微妙な調整が可能となる。また、これらの嵌合面を有する筒状体１１，ストッパーリング１２と、竿元側を閉塞する尻栓１０とも別部材であり、元上竿２や元上々竿３が各嵌合部に保持された状態で回転してもその回転は尻栓１０に直接伝達されない。よって、不当に尻栓１０の螺合が緩んで外れてしまうこともない。さらに、尻栓１０はゴムカバー１３内に収納されておおり、不要に尻栓１０が回転して緩んでしまうこともない。
【００３２】
［他の実施形態］
（ａ）上記ストッパーリング１２を筒状体１１に対して脱着自在としておけば、長期にわたって繰り返し嵌合保持させた結果、突起が摩耗等して嵌合力が低下した場合に、ストッパーリング１２のみを交換することも可能である。また、上記実施形態では筒状体１１を元竿１に接着剤で固定しているが、元竿１の竿元側端部内周面にねじ溝を形成して、筒状体１１を元竿１に螺合させて脱着自在としてもよい。この場合も、嵌合力の低下時に筒状体１１を交換可能である。
【００３３】
【発明の効果】
本発明にかかる保持構造は、嵌合程度の調整が容易であると共に緩みにくい。
【図面の簡単な説明】
【図１】本発明の一実施形態を採用した釣竿の全体図。
【図２】図１の元竿１の竿元側付近の拡大断面図。
【図３】図２の筒状体１１を示した図。
【図４】図２のストッパーリング１２を示した図。
【図５】図２の参照図。
【符号の説明】
１  元竿
２  元上竿
３  元上々竿
１０  尻栓
１１  筒状体
１２  ストッパーリング
【図１】
0004785101.tif 000002
【図２】
0004785101.tif 000003
【図３】
0004785101.tif 000004
【図４】
0004785101.tif 000005
【図５】
0004785101.tif 000006